(57)【要約】      （修正有）【課題】収納と操作に便利な折畳み可能な腰部及び腹部フィットネス器具を提供する。【解決手段】折畳み可能な腰部及び腹部フィットネス器具１００は、両側に遠端末梢１４７、１４９を備えるレール１０９、２個のハンドル組み付け装置１１７によりレールに固定して設置されるハンドル１０５、スタンド組み付け装置１１９によりレール底部に固定して設置される数個のスタンド１１１、レール上に設置されレールに沿って移動するスライドシート１０７を有する。ハンドル１０５はハンドル組み付け装置によりハンドル収納位置に固定して設置され、レール下にしっかり隠される。各スタンド１１１はスタンド収納位置に固定して設置され、これによりスタンドはレール下端から遠端末梢へと移動し、必要な収納空間を減らす。各ハンドル１０５はスタンド収納位置に固定して設置される一対のスタンド間に挿入され、必要な収納空間を減らす。【選択図】図１
0003203248.tif 000002
【実用新案登録請求の範囲】
【請求項１】
折畳み可能な腰部及び腹部フィットネス器具であって、レール、２個のハンドル組み付け装置、２個のハンドル、多数のスタンド組み付け装置、多数のスタンド、スライドシートを有し、
前記レールは、両側の遠端末梢へと滑らかに湾曲して持ち上がり、前記レールの遠端末梢と中央部位は、垂直距離を有し、
前記２個のハンドル組み付け装置は、前記レールの遠端末梢に設置され、前記各ハンドル組み付け装置には、少なくとも１個のハンドル実施位置と少なくとも１個のハンドル収納位置を配置し、
前記２個のハンドルの各ハンドルは、いずれか１個のハンドル組み付け装置により、前記レール上に組み付けられ、前記ハンドルは、前記レールを巡り旋回移動するが、前記ハンドル組み付け装置に制御され、
前記多数のスタンド組み付け装置は、前記レールの底部に固定され、前記各スタンド組み付け装置はすべて、スタンド操作位置とスタンド収納位置を含む少なくとも２個のスタンド位置を配置し、
前記多数のスタンドの各スタンドは、いずれか１個のスタンド組み付け装置により前記レール上に固定して設置され、前記スタンドは前記レールを巡り旋回移動するが、前記スタンド組み付け装置に制御され、
前記スライドシートは、キャスターを前記レールに嵌めて設置され、これにより前記レール上でスライドし、前記スライドシートは、旋回可能な座席を有し、
前記ハンドルを実施位置に固定して設置すると使用者が旋回可能な座席に腰かけ、レールに沿って、スライド運動する際に手を支えることができ、
前記ハンドルを収納位置に固定して設置すると、前記レール下方の高度内にしっかり収納でき、
前記各スタンドをスタンド操作位置に固定して設置すると、前記レールはフロアで支えられ、これにより使用者はスライド動作を行え、
前記各スタンドをスタンド収納位置に固定して設置すると、前記スタンドは、前記レールの中央部位から、前記レール下方において、前記レール高度を遠端末稍へと延伸することを特徴とする折畳み可能な腰部及び腹部フィットネス器具。
【請求項２】
前記ハンドルをハンドル収納位置に固定して設置すると、前記スタンド収納位置の２個のスタンドとの間にちょうど挿入して設置されることを特徴とする請求項１に記載の折畳み可能な腰部及び腹部フィットネス器具。
【請求項３】
前記スライドシートの構造は、背もたれ組み付け装置、背もたれを有し、
前記背もたれ組み付け装置は、前記旋回可能な座席の背面部に設置され、前記背もたれ組み付け装置には、背もたれ実施位置と背もたれ収納位置を含む少なくとも２個の背もたれ位置を配置し、
前記背もたれは、前記背もたれ組み付け装置を経て、前記旋回可能な座席に連結され、いずれか１個の背もたれ位置に固定して設置され、
前記背もたれを操作位置に固定して設置すると、使用者が旋回可能な座席に座っている時の背中の支えを提供し、
前記背もたれを収納位置に固定して設置すると、前記背もたれは座席の後方から前端座席へと傾斜し、必要な収納空間を減らすことができることを特徴とする請求項１に記載の折畳み可能な腰部及び腹部フィットネス器具。
【請求項４】
前記背もたれは、前記背もたれ組み付け装置を通して、背もたれ操作位置から背もたれ収納位置へと転換され、
これにより、前記背もたれは、旋回座席の後方から前面へと傾斜することを特徴とする請求項３に記載の折畳み可能な腰部及び腹部フィットネス器具。
【請求項５】
前記ハンドルは、前記ハンドル組み付け装置を通して、ハンドル操作位置からハンドル収納位置へと切り換えられると、前記ハンドルは、前記レールの上端から前記レールの底部へと移動することを特徴とする請求項１に記載の折畳み可能な腰部及び腹部フィットネス器具。
【請求項６】
前記スタンド操作位置からスタンド収納位置へと切り換えられると、前記スタンド組み付け装置は、前記スタンドを前記レール下端から上方へと移動させることを特徴とする請求項１に記載の折畳み可能な腰部及び腹部フィットネス器具。
【請求項７】
前記スタンドは、前記スタンド組み付け装置に固定して組み付けられ、
前記スタンド組み付け装置は、コントロールダイヤルを有し、これにより前記スタンド組み付け装置をスタンド位置に固定して設置されることを特徴とする請求項１に記載の折畳み可能な腰部及び腹部フィットネス器具。
【請求項８】
前記折畳み可能な腰部及び腹部フィットネス器具は、前記レールの周囲に、防護辺枠装置をさらに取り付けることを特徴とする請求項１に記載の折畳み可能な腰部及び腹部フィットネス器具。
【請求項９】
前記各ハンドルは、前記ハンドル組み付け装置に固定して設置され、これにより前記ハンドルはハンドル位置へと移動し、前記各スタンドは前記スタンド組み付け装置に固定して設置され、これにより前記スタンドはスタンド位置へと移動し、ハンドルの移動とスタンドの移動とは相互に独立し干渉し合わないことを特徴とする請求項１に記載の折畳み可能な腰部及び腹部フィットネス器具。
【考案の詳細な説明】
【技術分野】
【０００１】
本考案は折畳み可能な腰部及び腹部フィットネス器具に関し、特に折畳み構造を備える湾曲レールのフィットネス器具に関する。
【背景技術】
【０００２】
健康を保持し、さらには増進させるため、腰部と臀部のストレッチ器具など多くのフィットネス機器が開発されている。
多くの商用運動器具は、腰部と臀部の筋肉を鍛錬するため、長いレールによる操作が必要である。
【０００３】
しかし、この種の運動器具では通常ペダルフレーム或いは背もたれがレールから延長して伸びているため、これら器具を携帯／収納、分解／組立ての際の面倒と困難の原因となっている。
【考案の概要】
【考案が解決しようとする課題】
【０００４】
本考案の目的は、中央からそれぞれ末梢両側の端へと滑らかに湾曲して持ち上がるレールを有し、収納と操作の便を図るため、分解可能な構成部材をレール上に付加し、それぞれ操作でき、レールは各自独立して相互に干渉しない折畳み可能な腰部及び腹部フィットネス器具を提供することである。
【課題を解決するための手段】
【０００５】
実施形態では、２個のハンドル組み付け装置はレールの遠端末梢に固定して設置し、各ハンドル組み付け装置は少なくとも２個の操作／制御位置を備える。
さらに、１個のハンドル操作位置と１個のハンドル収納位置、２個の該ハンドル組み付け装置により、レール上に固定されるハンドルを備え、２個の或いは多数のスタンド組み付け装置は、レール底部に固定して設置され、各スタンド組み付け装置は少なくとも２個の操作／制御位置を備える。
１個のスタンド操作位置と１個のスタンド収納位置を備え、多数のスタンドは、該スタンド組み付け装置によりレール上に固定して設置され、スライドシートはキャスターを連動しレール上に連結するため、レール上でスライドし、該スライドシートは、旋回可能な座席を有する。
実施形態では、該ハンドルを収納位置に固定して設置すると、該レール高度内にしっかりと隠され、折畳み可能な腰部及び腹部フィットネス器具の収納空間を減らすことができる。
各スタンドが、スタンド収納位置に固定して設置されると、該スタンドはレールの中段部位から、レールの下方において、遠端末梢へと延伸し、折畳み可能な腰部及び腹部フィットネス器具の収納空間を減らす。
該各ハンドルがハンドル収納位置に固定して設置されると、スタンド収納位置に固定して設置される一対のスタンドの間にちょうど挿入され、必要な収納空間を減らすことができる。
【考案の効果】
【０００６】
本考案の折畳み可能な腰部及び腹部フィットネス器具は、必要な収納空間を減らし、収納と操作に便利である。
【図面の簡単な説明】
【０００７】
【図１】本考案実施形態の立体図である。
【図２】本考案別種の実施形態の立体図である。
【図３Ａ】本考案実施形態の分解図である。
【図３Ｂ】本考案にペダルポストを付加し、或いは取り外し実施形態の立体模式図である。
【図３Ｃ】本考案にペダルポストを付加し、或いは取り外し実施形態の立体模式図である。
【図４Ａ】本考案による折畳み実施形態の立体模式図である。
【図４Ｂ】本考案による折畳み実施形態の立体模式図である。
【図４Ｃ】本考案による折畳み実施形態の立体模式図である。
【図４Ｄ】本考案による折畳み実施形態の立体模式図である。
【図４Ｅ】本考案による折畳み実施形態の立体模式図である。
【図４Ｆ】本考案による折畳み実施形態の立体模式図である。
【図４Ｇ】本考案による折畳み実施形態の立体模式図である。
【図４Ｈ】本考案による折畳み実施形態の立体模式図である。
【図４Ｉ】本考案による折畳み実施形態の立体模式図である。
【図４Ｊ】本考案による折畳み実施形態の立体模式図である。
【図４Ｋ】本考案による折畳み実施形態の立体模式図である。
【図５Ａ】本考案のレール上でのスライド実施形態の模式図である。
【図５Ｂ】本考案のレール上でのスライド実施形態の模式図である。
【図５Ｃ】本考案のレール上でのスライド実施形態の模式図である。
【図６Ａ】本考案の実施形態の各模式図である。
【図６Ｂ】本考案の実施形態の各模式図である。
【図６Ｃ】本考案の実施形態の各模式図である。
【図６Ｄ】本考案の実施形態の各模式図である。
【図６Ｅ】本考案の実施形態の各模式図である。
【図６Ｆ】本考案の実施形態の各模式図である。
【考案を実施するための形態】
【０００８】
以下の説明中では、本考案を完全に理解できるよう、外観、構成部材名称、構成部材間の連接等多数のディテールについて具体的に記載している。
本考案は、不要な曖昧さが生じるのを避けるため、公知の構成部材或いは方法について詳細な記載を行っていない。
具体的な記載については、第一、第二、第三応用実施形態に明らかだが、これらは本考案に制限を加えるものではない。
すなわち、記載した具体的な構造は、実施形態に過ぎず、簡易な修正変化もすべて、本考案の構想と範囲内に含まれる。
【０００９】
説明中の「一実施形態中」とは、本考案が特定機能、構造或いは特徴を含むことを示す。
説明中に現れる「一実施形態中」という表現が指すものは、同様とは限らない。
【００１０】
図１は本考案の一実施形態立体図である。
図に示す通り、折畳み可能な腰部及び腹部フィットネス器具１００は、レール１０９を有する。
レール１０９は、中央部位１５１（図示の低点）から、両側の遠端末梢１４７、１４９へと上向きに滑らかに湾曲して持ち上がる。
レール１０９の高度は、遠端末梢１４７、１４９と中央部位１５１との間の垂直距離により決まり、スライドシート１０７は、レール１０９の２個の遠端末梢１４７、１４９の間でスライド移動する。
【００１１】
実施形態では、スライドシート１０７は、旋回座席１０３と背もたれ１０１を有し、使用者の背中を支え、使用者は座席１０３上に座り、レール１０９に沿って移動運動を行う（左へ或いは右へのスライド移動など）。
ハンドル１０５により、使用者が座席１０３に座った際、両側の遠端末梢１４７、１４９において手を支える。
多数の或いは一対のスタンド１１１は、折畳み可能な腰部及び腹部フィットネス器具１００を、レール１０９底部（中央部位１５１に近い位置など）よりフロア（或いは地面）において支える。
【００１２】
実施形態では、折畳み可能な腰部及び腹部フィットネス器具１００は、ハンドル組み付け装置１１７を有する。
ハンドル組み付け装置１１７は、両側の端遠端末梢１４７、１４９に設置する。
ハンドル組み付け装置１１７により、１個のハンドルは実施位置に、１個のハンドルは収納位置など、ハンドルは多数の位置に組み付けられる。
ハンドル１０５は、ハンドル組み付け装置１１７により、レール１０９の何か一つのハンドル位置に調整されて固定設置される。
ハンドル１０５は、レール１０９上方のハンドル操作／制御位置に固定され、使用者の手を支えることができる。
また、ハンドル１０５は、レール１０９下方のハンドル収納位置に固定され、収納に用いられる。
【００１３】
ハンドル１０５は、ハンドル組み付け装置１１７により、レール１０９左右両側の辺（左側或いは右側）において旋回移動する。
例えば、ハンドル組み付け装置１１７により、ハンドル１０５は、レール１０９一辺（左側或いは右側）の軸線（座席１０３前後間）を巡り回転移動する。
また、ハンドル組み付け装置１１７により、ハンドル１０５は、レール１０９に対する異なる角度の適用位置に固定される。
【００１４】
折畳み可能な腰部及び腹部フィットネス器具１００は、多数のスタンド組み付け装置１１９を有する。
多数のスタンド組み付け装置１１９は、レール１０９の底部に固定して設置される。
スタンド組み付け装置１１９により、スタンドはスタンド操作位置とスタンド収納位置などの少なくとも２個の位置を示す。
任意の１個のスタンド１１１は、スタンド組み付け装置１１９により、レール１０９のスタンド位置において調整されて固定設置される。
【００１５】
スタンド１１１は、スタンド組み付け装置１１９により、レール１０９下方において移動する。
例えば、スタンド組み付け装置１１９により、スタンド１１１はレール１０９下方において、レール１０９（或いは座席１０３）に平行な軸線を巡り、異なるスタンド位置間において旋回する。
【００１６】
実施形態では、スタンド１１１は、レール１０９の下向きの操作位置に固定され、折畳み可能な腰部及び腹部フィットネス器具１００の高度を支える。
スタンド１１１も、レール１０９下方が側面へ向く収納位置（平レール１０９に平行）に固定され、収納に必要な空間或いはサイズ（高度など）を減らすことができる。
スタンド組み付け装置１１９は、他の多数のスタンド位置を含むことができ、これによりスタンド１１１はレール１０９に対する異なる角度に固定され、こうしてレール１０９は異なる高度に支えられる。
【００１７】
各スタンド組み付け装置１１９は、一対のスタンド１１１を分解可能なように固定する。
スタンド組み付け装置１１９により、一対のスタンド１１１はレール１０９の下方において、レール１０９と横に交わる軸線を巡り旋回する（左右側及び下方間など）。
【００１８】
実施形態では、スライドシート１０７は、背もたれ組み付け装置１１５を有する。
背もたれ組み付け装置１１５は、座席１０３の背面部に取り付ける。
背もたれ組み付け装置１１５には、１個の背もたれ実施位置と１個の背もたれ収納位置など少なくとも２個の背もたれ位置を配置する。
背もたれ１０１は、背もたれ組み付け装置１１５により調整され、座席１０３の何か１個の背もたれ位置に固定して設置される。
【００１９】
例えば、背もたれ１０１は、背もたれの実施位置に固定され、これにより座席１０３より上向きに直立し、座席１０３に座る使用者の背中を支える。
反対に、背もたれ１０１を、背もたれの収納位置に固定すると、前方のレール１０９（或いは座席１０３）へと傾斜し、座席１０３上方において、折畳み可能な腰部及び腹部フィットネス器具１００の高度を折畳み、収納の便を図る。
実施形態では、背もたれ組み付け装置１１５により、背もたれ１０１は、座席１０３の前後端間で移動し、背もたれの実施位置と背もたれの収納位置などの各背もたれ位置角度の切換えを行うことができる。
【００２０】
実施形態では、スライドシート１０７は、レール１０９に沿って往復（或いは左右）スライド移動するキャスターを有する。
座席１０３は、レール１０９の所定の角度範囲内において旋回する。
スライドシート１０７は、ロックスクリューなどのコントロール装置を有し、これにより所定範囲内での旋回角度を制限する。
レール１０９は、前レールポスト１５３と後レールポスト１５５などの２個の平行のレールポストを有する。
ハンドル組み付け装置１１７とスタンド組み付け装置１１９とは、平行のレールポスト上を跨いで設置される。
【００２１】
図２は、本考案別種の実施形態の折畳み可能な腰部及び腹部フィットネス器具の立体図である。
図に示す通り、折畳み可能な腰部及び腹部フィットネス器具２００は、図１に示す折畳み可能な腰部及び腹部フィットネス器具１００を基礎とする。
座席１０３前端に、取り外し可能な延伸ペダルポスト１１３を固定して設置する。
使用者が座席１０３に座る際に、ペダルポスト１１３は腿部を支える。
【００２２】
図３Ａは、本考案折畳み可能な腰部及び腹部フィットネス器具の一実施形態の分解図である。
折畳み可能な腰部及び腹部フィットネス器具３００は、図１に示す折畳み可能な腰部及び腹部フィットネス器具１００を基礎とする。
実施形態では、背もたれ組み付け装置１１５は、ピボットボルト１２３を有する。
ピボットボルト１２３により、背もたれ１０１は、座席１０３の座席板１２５上に回転可能なように、設置される。
コントロールボルト１２１は、ピボットボルト１２３により螺合されるサポートフレーム１５７に挿入され、背もたれ１０１を固定する。
コントロールボルト１２１を抜き取れば、背もたれ１０１は、ピボットボルト１２３を巡り、自由に前後に傾斜（或いは旋回）する。
コントロールボルト１２１を挿入し背もたれ１０１を固定すれば、背もたれ１０１が傾斜位置（或いは背もたれの収納位置）から後方へと仰向き或いは後仰位置（背もたれ実施位置）から前傾するのを防ぐことができる。
ペダルポスト１１３は、サポートフレーム１５７により、座席１０３上に組み付けられ、コントロールボルト１５９により、ペダルポスト１１３は、折畳み可能な腰部及び腹部フィットネス器具１００と選択的に付加或いは分離される。
【００２３】
実施形態では、ハンドル組み付け装置１１７は、レール１０９レールポスト１５３、１５５間の連結管１３５中に挿入して設置される軸ポスト１３１を有する。
ハンドル１０５の両端は、軸ポスト１３１の両端に固定して設置される。
これにより、ハンドル１０５は、連結管１３５において旋回移動し、コントロールボルト（或いはロックスクリュー）１２９は連結管１３５を経てハンドル１０５に挿入され、これにより軸ポスト１３１の旋回の位置を固定し、コントロールボルト１２９は、連結管１３５上から離脱（或いは除去）され、ハンドル１０５はハンドル操作位置、ハンドル収納位置或いは他の連結管１３５を巡るハンドル位置で旋回する。
【００２４】
スタンド組み付け装置１１９は、脚底台サポートフレーム１３９を有する。
脚底台サポートフレーム１３９は、レール１０９底部の底台サポートフレーム１４５に旋回可能なように固定して設置される。
多数の（一対など）スタンド１１１は、脚底台サポートフレーム１３９において、分解可能なように固定して設置される。
これにより、スタンド１１１は内向き或いは外向き（左側と右側との間）に、レール１０９下方において旋回する。
底台サポートフレーム１４５は、スタンド１１１の内向きの旋回を係止して制限する。
この係止限制の位置は、脚の操作位置などで、底台サポートフレーム１４５と脚底台サポートフレーム１３９との間に相対し、コントロールダイヤル１３７を通して、脚部操作位置或いは脚部収納位置などにスタンド位置を固定する。
【００２５】
枠体１４１は、枠体固定器１３３を通して、レール１０９の周囲に嵌めて設置される。
実施形態では、多数の枠体固定器１３３を、レール１０９の底部に設置する。
折畳み可能な腰部及び腹部フィットネス器具１００が収納位置にある時、折畳み可能な腰部及び腹部フィットネス器具１００は、枠体固定器１３３を通してフロア上で支えられる。
【００２６】
図３Ｂ乃至３Ｃ、本考案ペダルポストと折畳み可能な腰部及び腹部フィットネス器具の連接或いは分離を示す。
例えば、図番号３５０は、図１に示す折畳み可能な腰部及び腹部フィットネス器具１００或いは図２に示す折畳み可能な腰部及び腹部フィットネス器具２００に基づく。
図３Ｂでは、コントロールボルト１５９は、座席１０３から離れ、ペダルポスト１１３は図３Ａに示すサポートフレーム１５７を通して座席１０３中に挿入される。
図３Ｃに示す通り、コントロールボルト１５９を通して、ペダルポスト１１３は座席１０３上に固定して設置される。
【００２７】
本考案の図４Ａ乃至４Ｋは、折畳み可能な腰部及び腹部フィットネス器具の折畳み（或いは展開）操作プロセスを示す。
例えば、図番号４００Ａ、４００Ｂは、図１に示す折畳み可能な腰部及び腹部フィットネス器具１００を基礎とする。
図４Ａに示す通り、操作位置時には、折畳み可能な腰部及び腹部フィットネス器具１００には、スタンド１１１、ハンドル１０５と背もたれ１０１を配置する。
図４Ｂ、図４Ｃに示す通り、コントロールボルト１２９は、ハンドル組み付け装置１１７から除去され、ハンドル１０５を収納位置まで下方へと旋回（自動或いは手動で押す）させ、コントロールボルト１２９を通して、ハンドル１０５を図４Ｄ中のハンドル収納位置に固定する。
【００２８】
実施形態では、ハンドル１０５が、収納位置に固定されている時には、レール１０９下の中央部位１５１と両側の遠端末梢１４７、１４９のレールポスト１５３、１５５の間に隣り合う位置に隠れている。
ハンドル１０５は、レール１０９下方の隙間（或いは開口空間）に収納され、その高度は遠端末梢１４９と中央部位１５１との間である。
この隙間は、レール１０９が上方へと湾曲する弧度とみなされる。
【００２９】
図４Ｅに示す通り、コントロールダイヤル１３７を回して緩めると、スタンド１１１はレール１０９下方で、遠端末梢１４７、１４９の方向へと旋回し、折畳み可能な腰部及び腹部フィットネス器具１００の折畳み動作が行われる。
実施形態では、コントロールダイヤル１３７のロック解除を通して、レール１０９の重量により、折畳み可能な腰部及び腹部フィットネス器具１００のスタンド１１１は、操作位置から自動的に折畳みに向かう。
或いは、レール１０９が折畳み、或いは収納位置から立ち上がる時、スタンド１１１は自動的に操作位置に向かう。
図４Ｆ中のスタンド１１１は、スタンドの収納位置（例えば、通過コントロールダイヤル１３７）に固定される。
図４Ｇと４Ｈ中では、スタンド１１１は、スタンド収納位置の折畳み可能な腰部及び腹部フィットネス器具１００が減らした収納空間（高度と前端／後端の深さなど）に固定される。
【００３０】
各スタンド１１１は収納位置において、レール１０９の中央部分から、レール１０９一辺の遠端末梢（すなわち、基本的にレール１０９に平行な縦方向）下方へと延伸する。
ハンドル１０５は、ちょうど両側のスタンド収納位置間（ハンドル１０５の幅とスタンド１１１の分離距離は等しい）に挿入され収納される。
そのため、折畳み可能な腰部及び腹部フィットネス器具１００は必要な収納体積（或いは空間量）を減らすことができる。
実施形態では、ハンドル１０５は収納位置に収納され、こうして折畳み可能な腰部及び腹部フィットネス器具１００はフロアで支えられる。
【００３１】
図４Ｉでは、スタンド１１１とハンドル１０５は収納位置に配置される。
図４Ｊでは、コントロールボルト１２１を、背もたれ組み付け装置１１５から除去する。
これにより、背もたれ１０１は操作位置から収納位置へと切換え（傾斜など）られる。
実施形態では、背もたれ１０１、スタンド１１１とハンドル１０５の配置は相互に独立し、折畳み可能な腰部及び腹部フィットネス器具の構成部材（背もたれ１０１、スタンド１１１及び／或いはハンドル１０５など）のサイズ、構造は、個別に異なる形式の組合せとなり、相互に干渉しない。
【００３２】
図５Ａに示す図番号５００は、図１に示す折畳み可能な腰部及び腹部フィットネス器具１００がレールに沿って移動する実施形態を示す。
スライドシート１０７は、図５Ａに示すレール１０９の中央位置から左へと図５Ｂに示す左辺位置に移動する。
別に、スライドシート１０７は、図５Ｃに示す右辺位置へと右へスライドする。
スライド運動時、座席１０３は旋回でき、或いはスライドシート１０７と一定角度に固定される。
【００３３】
図６Ａ乃至６Ｆは、図１に示す折畳み可能な腰部及び腹部フィットネス器具１００の応用実施形態を示す。
図６Ａは、折畳み可能な腰部及び腹部フィットネス器具の前視図で、図６Ｂは、折畳み可能な腰部及び腹部フィットネス器具の後視図で、図６Ｃは、折畳み可能な腰部及び腹部フィットネス器具の右視図で、図６Ｄは、折畳み可能な腰部及び腹部フィットネス器具の左視図で、図６Ｅは、折畳み可能な腰部及び腹部フィットネス器具の俯視図で、図６Ｆは、折畳み可能な腰部及び腹部フィットネス器具の仰視図である。
図２に示す折畳み可能な腰部及び腹部フィットネス器具２００の各図中にペダルポスト１１３を追加することができる。
【００３４】
前述した本考案の実施形態は本考案を限定するものではなく、よって、本考案により保護される範囲は後述される実用新案登録請求の範囲を基準とする。
【符号の説明】
【００３５】
１００、２００、３００  折畳み可能な腰部及び腹部フィットネス器具
１０１  背もたれ
１０３  座席
１０５  ハンドル
１０７  スライドシート
１０９  レール
１１１  スタンド
１１３  ペダルポスト
１１５  背もたれ組み付け装置
１１７  ハンドル組み付け装置
１１９  スタンド組み付け装置
１２１、１２９、１５９  コントロールボルト
１２３  ピボットボルト
１２５  座席板
１３１  軸ポスト
１３３  枠体固定器
１３５  連結管
１３７  コントロールダイヤル
１３９  脚底台サポートフレーム
１４１  枠体
１４５  底台サポートフレーム
１４７、１４９  遠端末梢
１５１  中央部位
１５３、１５５  レールポスト
１５７  サポートフレーム
３５０、４００Ａ、４００Ｂ、５００  図番号
【図１】
0003203248.tif 000003
【図２】
0003203248.tif 000004
【図３Ａ】
0003203248.tif 000005
【図３Ｂ】
0003203248.tif 000006
【図３Ｃ】
0003203248.tif 000007
【図４Ａ】
0003203248.tif 000008
【図４Ｂ】
0003203248.tif 000009
【図４Ｃ】
0003203248.tif 000010
【図４Ｄ】
0003203248.tif 000011
【図４Ｅ】
0003203248.tif 000012
【図４Ｆ】
0003203248.tif 000013
【図４Ｇ】
0003203248.tif 000014
【図４Ｈ】
0003203248.tif 000015
【図４Ｉ】
0003203248.tif 000016
【図４Ｊ】
0003203248.tif 000017
【図４Ｋ】
0003203248.tif 000018
【図５Ａ】
0003203248.tif 000019
【図５Ｂ】
0003203248.tif 000020
【図５Ｃ】
0003203248.tif 000021
【図６Ａ】
0003203248.tif 000022
【図６Ｂ】
0003203248.tif 000023
【図６Ｃ】
0003203248.tif 000024
【図６Ｄ】
0003203248.tif 000025
【図６Ｅ】
0003203248.tif 000026
【図６Ｆ】
0003203248.tif 000027